(57)【要約】【課題】本発明は、被削材に傷を付けてしまうことを防ぐ作業性及び操作性に優れた安価な電動工具を提供することである。【解決手段】  駆動源であるモータと、該モータの回転動力を伝達する減速機構部と、該減速機構部を介して該モータに駆動される先端工具保持部と、該先端工具保持部を収容するアルミ製のケースと、該ケースと隣接し且つ前記モータを収容するハウジングと、該ハウジングに前記ケースを取り付けるための締付けネジとを備えた電動工具において、前記締付けネジの頭部を覆う樹脂製のカバーを前記ケースの外周に設け、前記カバーの長手方向には、前記締付けネジを収容するための突出部を設け、該突出部の反ハウジング側の端部に傾斜を設け、前記カバーが前記ケースから外れるのを防止する弾性体からなるストッパを前記ケースに着脱可能に設けた。【選択図】図１
2008178979.tif 000002
【特許請求の範囲】
【請求項１】
駆動源であるモータと、
該モータの回転動力を伝達する減速機構部と、
該減速機構部を介して該モータに駆動される先端工具保持部と、
該先端工具保持部を収容するアルミ製のケースと、
該ケースと隣接し且つ前記モータを収容するハウジングと、
該ハウジングに前記ケースを取り付けるための締付けネジとを備えた電動工具において、
前記締付けネジの頭部を覆う樹脂製のカバーを前記ケースの外周に設け、
前記カバーの長手方向には、前記締付けネジを収容するための突出部を設け、
該突出部の反ハウジング側の端部に傾斜を設け、
前記カバーが前記ケースから外れるのを防止する弾性体からなるストッパを前記ケースに着脱可能に設けたことを特徴とする電動工具。
【請求項２】
前記ケースに凹凸部を設け、前記ストッパが該凹凸部に係合することを特徴とする請求項１記載の電動工具。
【発明の詳細な説明】
【技術分野】
【０００１】
本発明は、作業者の腰ベルト等に掛止可能なフック部を有するインパクトドライバ及びインパクトレンチ等の電動工具に関するものである。
【背景技術】
【０００２】
図１３〜図１９を用いて従来の電動工具（インパクトドライバ及びインパクトレンチ）を説明する。図１３は、従来の電動工具の側面図、図１４は一部縦断側面図、図１５はフック部の一部側面図、図１６は電動工具を図１４の蓄電池側から見た一部断面図、図１７はフックのロック状態を示す断面図、図１８はフックのロック解除状態を示す断面図、図１９は従来の電動工具の使用状態を示す説明図である。
【０００３】
図１３〜図１８において、二つ割のハウジング１及びハンマケース２などの外枠を有する電動工具は、略Ｔ字形状を成しており、ハウジング１によって形成される本体胴体部１ａには、駆動源であるモータ３や減速機構部４などを収容し、且つ本体胴体部１ａから垂下するハンドル部１ｂには、モータ３に電力を供給するためのトリガスイッチ５や蓄電池６の接続端子と電気的に接続される図示しない接点などを収容している。また、ハウジング１に当接して配置されるハンマケース２内には、モータ３の回転動力を打撃力に変換するための打撃機構部７及び図示しないビットやレンチ等の先端工具保持部８などを収容している。このような構成において、モータ３の回転動力は、モータ３の出力軸であるピニオン３ａから減速機構部４に伝達され、更に減速機構部４から打撃機構部７を介して先端工具に伝達される。
【０００４】
なお、上述した減速機構部４は、ハウジング１内に回転止めを有し支持されている固定歯車支持治具４ａ、固定歯車４ｂ、遊星歯車４ｃ、スピンドル９とを有し、且つスピンドル９に支持される遊星歯車４ｃの回転軸となるニードルピン４ｄとから構成されており、また打撃機構部７は、スピンドル９と、スピンドル９に形成したカム溝９ａに挿入されるスチールボール１０（鋼球）を介して回転可能で且つ回転軸の軸方向に移動可能なハンマ１１と、ハンマ１１に設けた複数のハンマ爪１１ａにより打撃され回転するアンビル爪１２ａを有するアンビル１２と、ハンマ１１をアンビル１２側に常に付勢するスプリング１３とから構成されている。
【０００５】
このように構成された電動工具において、先端工具により締め付けられるネジ或いはナット等に与えるパルス的な衝撃（インパクト）は、トリガスイッチ５の操作によりモータ３に電力を供給し、モータ３を回転駆動させた後、このモータ３の回転動力をモータ３の先端に連結されているピニオン３ａを介して遊星歯車４ｃに伝達し、遊星歯車４ｃと固定歯車４ｂと噛み合いによりピニオン３ａの回転動力をニードルピン４ｄを介してスピンドル９に伝達し、スピンドル９のカム溝９ａとハンマ１１のカム溝１１ｂとの間に配置されたスチールボール１０を介して、スピンドル９の回転力をハンマ１１に伝達し、ハンマ１１とスピンドル９の遊星歯車４ｃとの間に配されているスプリング１３によって前方（ビット側）に付勢されているハンマ１１のハンマ爪１１ａが回転によりアンビル１２のアンビル爪１２ａを打撃することにより発生する。打撃後、ハンマ１１の打撃エネルギが減少しアンビル１２のトルクが減少すると、ハンマ１１はアンビル１２から反発するため、ハンマ１１はカム溝に沿って遊星歯車４ｃ方向に移動（後退）する。その後、ハンマ１１はスプリング１３の圧縮力で再びアンビル１２方向にカム溝に沿って押し戻され、再びスピンドル９の回転によりハンマ爪１１ａがアンビル爪１２ａを打撃する。このようにハンマ１１の軸方向移動と回転によりアンビル１２への打撃を繰り返すことで、連続的な衝撃トルクをビットやレンチ等の先端工具に与え、被削材１４へのネジ締め或いはナット締め、または被削材１４へのネジ緩め或いはナット緩め作業を行うことができる。
【０００６】
また、上述した打撃機構部７及び減速機構部４を有する電動工具のハウジング１表面、具体的にはハウジング１の本体胴体部１ａ後面やハンドル部１ｂには、二層成形によりエラストマー１５を施してある。このエラストマー１５を設ける目的は、電動工具を確実に把持するための滑り止め、或いは握り心地を良くし操作性及び作業性を向上させるためであり、更には地面に落とした時の衝撃を吸収し電動工具が破損してしまうことを防いだり、傾斜面に電動工具を置いた時に傾斜に沿って電動工具が滑り落ちないようにするためである。なお、電動工具の破損や電動工具の滑り止め効果を向上させるためにエラストマー１５を蓄電池収容部１ｃの周辺に施しても良い。
【０００７】
また、本電動工具には、図１３〜図１８に示すように作業者の腰ベルト等に電動工具本体を掛止させるため、以下に詳述する係止部材１６と保持部１７とストラップ部１８とから構成される回動可能なフック部１９が設けられている。
【０００８】
フック部１９は、ビット等の先端工具２０を収容可能な樹脂から成る略円筒形の基端部１６ａを有する係止部材１６と、この係止部材１６の基端部１６ａを収容可能な貫通穴１７ａを有し且つハンドル部１ｂから蓄電池６の側面に隣接する位置まで延在する保持部１７と、この保持部１７内に挿通され且つ基端部１６ａ内に設けた抜け止め部材であるナット１６ｂに螺合して保持部１７から係止部材１６が抜け出てしまうことを防ぐ固定部材であるボルト２１と、係止部材１６を回動不能位置にロックする方向に付勢して成るスプリング或いは弾性ゴム等の弾性体２２とから構成されており、略Ｌ字形を成す係止部材１６の基端部１６ａには、枢軸２３を回転軸とする円筒状の回転筒１６ｃと、この回転筒１６ｃ上に設けられ且つ枢軸２３方向に突設し且つ枢軸２３の半径方向外側に突出する複数の歯を有する角度調整用ギヤ部１６ｄと、この角度調整用ギヤ部１６ｄの内径と略同径に突設する第１リング部１６ｅと、この第１リング部１６ｅの外径と同等或いはそれより小径の第２リング部１６ｆとが設けられている。また、基端部１６ａの内部には、第２リング部１６ｆ側から挿通されるボルト２１と螺合するナット１６ｂを回転不能に収容する半六面壁形状のナット収容部１６ｇが設けられていると共に、このナット収納部１６ｇから第２リング部１６ｆまでボルト２１を収容するための貫通穴（ボルト穴）１７ａが枢軸２３方向に設けられている。また、反角度調整用ギヤ部１６ｄ側位置する回転筒１６ｃの端面、即ち滑止部１６ｈを有する係止部材１６における回転筒１６ｃの立ち上がり突設部には、回転筒１６ｃの外径より大きい外径を形成するための段差部１６ｉを設けていると共に、回転筒２ｃの外周には係止部材１６の回動範囲を所定の角度内に規制するための回転抑止板１６ｊを突設している。
【０００９】
一方、保持部１７は、ハウジング１の分割面を中心に対称型で且つその内部に基端部１６ａを収容するための貫通穴（円筒穴）１７ａを有しており、この貫通穴１７ａは回転筒１６ｃを収容する回転支持穴１７ｂと、角度調整用ギヤ部１６ｄと噛合可能な複数の歯を有するリングギヤ部１７ｃと、このリングギヤ部１７ｃと溝付き頭部（ボルト頭）２１ａを有するボルト２１との間に設けられるフック用スプリング２２と当該ボルト頭２１ａを収容する受容穴１７ｄとから構成されており、回転支持穴１７ｂには、回転抑止板１６ｊの回動範囲を所定の角度内に規制するため回転抑止板１６ｊと当接する回転抑止板受容溝１７ｅが設けられている。
【００１０】
また、ストラップ部１８は、保持部１７の上方に設けられており、円筒穴１７ａに挿通する基端部１６ａの軸長に対して平行に設けられるストラップ用ネジ１８ａと、このストラップ用ネジ１８ａを挿通するための挿通穴１８ｂと、この挿通穴１８ｂからストラップ用ネジ１８ａが抜け出ないようにストラップ用ネジ１８ａと螺合するストラップ用ナット１８ｃとから構成されており、ストラップ部１８の一部にストラップ用ネジ１８ａが露出する切欠き部１８ｄを設け、この切欠き部１８ｄにストラップ１８ｅの一端に設けた輪状部１８ｆを挿通し、その後、輪状部１８ｆ内にストラップ用ネジ１８ａを挿通しストラップ用ナット１８ｃと螺合することにより、ストラップ１８ｅをストラップ用ネジ１８ａの軸部に引っ掛けることができるようになっている。なお、上述したようにストラップ部１８が、保持部１７の上方に設けられているため、保持部１７に着脱自在に設けられている係止部材１６が蓄電池６の側壁付近に隣接配置されている。
【００１１】
次にハウジング１の保持部１７に対する係止部材１６の着脱方法について説明する。まずナット収容部１６ｇにナット１６ｂを挿入した状態で、保持部１７の円筒穴１７ａに挿通し、第２リング部１６ｆに沿って受容穴１７ｄにフック用スプリング２２を挿通させ、ボルト２１の先端に設けたネジ部２１ｂとナット１６ｂの内部に設けたネジ部１６ｋとを螺合させることにより、係止部材１６をフック用スプリング２２を介して保持部１７に装着することができる。また、ハウジング１の保持部１７に対して係止部材１６を離脱させる場合には、上述した手順の逆を行えば簡単に行える構成になっている。なお、保持部１７は上述したようにハウジング１の分割面を中心に対称型になっていると共に、ビット等の先端工具２０を収容可能な係止部材１６の形状が略直線的形状であるため、例えば作業者の利き手に応じて係止部材１６を保持部１７の左右どちらから挿入装着しても問題なく使用することができる。
【００１２】
次に係止部材１６の回動操作について図１３〜図１８を用いて説明する。図１３〜図１８は係止部材１６が蓄電池６の側面付近に隣接配置される位置で位置決め固定されている状態を示しており、係止部材１６は、フック用スプリング２２の圧力が保持部内のスプリング受端面１６ｌを支点にボルト頭２１ａを押し出す方向に付勢されていると共に、段差部１６ｉが保持部１７の端面１７ｆに当接して支持されているため離脱防止が図られており、更に角度調整用ギヤ部１６ｄがリングギヤ部１７ｃと噛合状態に保持されているため、基端部１６ａの枢軸２３の周方向の回転が防止され安定した位置決め固定が得られる構成になっている。なお、蓄電池６の側面付近に隣接配置される位置は、回転抑止板１６ｊの端面が回転抑止板受容溝１７ｅの端面に当接する位置の一つとなっているため、この位置まで係止部材１６を回動させることができる構成になっている。
【００１３】
この状態から係止部材１６を回動操作する場合には、図１３〜図１８に示すように、係止部材１６の滑止部１６ｈを指でつまみ枢軸２３方向（図中上方）に引っ張れば基端部１６ａの角度調整用ギヤ部１６ｄとリングギヤ部１７ｃとの噛合が解除されるため、所定の角度内で係止部材１６を回動させることができ、任意の位置で係止部材１６を離せばフック用スプリング２２の弾性力により角度調整用ギヤ部１６ｄとリングギヤ部１７ｃとが噛合し位置決め固定することができる構成になっている。
【発明の開示】
【発明が解決しようとする課題】
【００１４】
上述したように、モータの回転動力を打撃力に変換するための打撃機構部及びビットやレンチ等の先端工具保持部などを収容するハンマケースは、図１３〜図１９に示すようにハウジングと並んで電動工具の外観を構成している。ハンマケースはハウジングに当接し締付けネジにより取付けられている。しかし、この締付けネジの頭部がハンマケース同様に露出している。このため、図１９に示すように隅部でネジ締め作業を行う場合に、締付けネジの頭部が被削材に接触してしまい、結果的に被削材に傷を付けてしまうという問題が生じる。また、締付けネジの頭部が突出する形で露出しているため、電動工具の持ち運び時などに他の部材に接触してしまい同じく被削材に傷を付けてしまうという問題が生じる。
【００１５】
また、作業によって使用者は、ハンマケースの外周を把持しながら作業する場合があるが、ハンマ爪がアンビル爪を打撃する際に発生する熱によりハンマケースが熱くなってしまうと、ハンマケースを把持し難くなってしまい作業性及び操作性の低下を招いてしまうという問題があった。
【００１６】
また、アルミ製のハンマケースを把持した場合、使用者の手が汗や水等により濡れていると滑り易く、安定した作業が行えないという問題があった。
【００１７】
また、ハンマケースは、腐食防止のため且つ見ばえを良くするために塗装が施されているため、この塗装作業によりコストと手間がかかってしまうという問題があった。
【００１８】
本発明の目的は、上記問題を解消し、被削材に傷を付けてしまうことを防ぐ作業性及び操作性に優れた安価な電動工具を提供することである。
【課題を解決するための手段】
【００１９】
上記の目的を達成するために本発明は、駆動源であるモータと、該モータの回転動力を伝達する減速機構部と、該減速機構部を介して該モータに駆動される先端工具保持部と、該先端工具保持部を収容するアルミ製のケースと、該ケースと隣接し且つ前記モータを収容するハウジングと、該ハウジングに前記ケースを取り付けるための締付けネジとを備えた電動工具において、前記締付けネジの頭部を覆う樹脂製のカバーを前記ケースの外周に設け、前記カバーの長手方向には、前記締付けネジを収容するための突出部を設け、該突出部の反ハウジング側の端部に傾斜を設け、前記カバーが前記ケースから外れるのを防止する弾性体からなるストッパを前記ケースに着脱可能に設けたことに一つの特徴を有する。
【発明の効果】
【００２０】
本発明によれば、締付けネジの外周を覆うカバーを、ハンマケースの外周に設けることで、被削材に傷を付けてしまうことを防ぐことができ、作業性及び操作性に優れた安価な電動工具を提供することができる。
【発明を実施するための最良の形態】
【００２１】
以下、図１〜図１２を用いて本実施例における電動工具（インパクトドライバ及びインパクトレンチ）を説明する。図１は本実施例における電動工具を示す側面図、図２は本実施例における電動工具を示す一部縦断側面図、図３は本実施例における電動工具を蓄電池６側から見た場合における係止部材１６のロック状態を示す断面図、図４は本実施例における電動工具を蓄電池側から見た場合における係止部材１６のロック解除状態を示す断面図、図５は本実施例における電動工具のハンマケース２周辺に設けられるカバー２５を示す外観斜視図、図６は電動工具に設けたカバー２５を位置決め固定するストッパ２７を示す外観斜視図、図７は図６に示すストッパ２７の内側を示す外観斜視図、図８は本実施例における電動工具にカバー２５を設け且つ当該カバー２５をキャップ２７により位置決め固定した状態を示す要部拡大縦断側面図、図９は本実施例における電動工具の使用状態を示す説明図、図１０は本実施例における電動工具の他の使用状態を示す説明図、図１１は本実施例における他のカバー２５´を示す外観斜視図、図１２は本実施例における更に他のカバー２５“を示す外観斜視図である。
【００２２】
図１〜図２において、二つ割のハウジング１及びハンマケース２などの外枠を有する電動工具は、略Ｔ字形状を成しており、ハウジング１によって形成される本体胴体部１ａには、駆動源であるモータ３や減速機構部４などを収容し、且つ本体胴体部１ａから垂下するハンドル部１ｂには、モータ３に電力を供給するためのトリガスイッチ５や蓄電池６の接続端子と電気的に接続される図示しない接点などを収容している。また、ハウジング１に当接して配置されるハンマケース２内には、モータ３の回転動力を打撃力に変換するための打撃機構部７及び図示しないビットやレンチ等の先端工具保持部８などを収容している。このような構成において、モータ３の回転動力は、モータ３の出力軸であるピニオン３ａから減速機構部４に伝達され、更に減速機構部４から打撃機構部７を介して先端工具に伝達される。
【００２３】
なお、上述した減速機構部４は、ハウジング１内に回転止めを有し支持されている固定歯車支持治具４ａ、固定歯車４ｂ、遊星歯車４ｃ、スピンドル９とを有し、且つスピンドル９に支持される遊星歯車４ｃの回転軸となるニードルピン４ｄとから構成されており、また打撃機構部７は、スピンドル９と、スピンドル９に形成したカム溝９ａに挿入されるスチールボール１０（鋼球）を介して回転可能で且つ回転軸の軸方向に移動可能なハンマ１１と、ハンマ１１に設けた複数のハンマ爪１１ａにより打撃され回転するアンビル爪１２ａを有するアンビル１２と、ハンマ１１をアンビル１２側に常に付勢するスプリング１３とから構成されている。
【００２４】
このように構成された電動工具において、先端工具により締め付けられるネジ或いはナット等に与えるパルス的な衝撃（インパクト）は、トリガスイッチ５の操作によりモータ３に電力を供給し、モータ３を回転駆動させた後、このモータ３の回転動力をモータ３の先端に連結されているピニオン３ａを介して遊星歯車４ｃに伝達し、遊星歯車４ｃと固定歯車４ｂと噛み合いによりピニオン３ａの回転動力をニードルピン４ｄを介してスピンドル９に伝達し、スピンドル９のカム溝９ａハンマ１１のカム溝１１ｂ間に配置されたスチールボール１０を介して、スピンドル９の回転力をハンマ１１に伝達し、ハンマ１１とスピンドル９の遊星歯車４ｃとの間に配されているスプリング１３によって前方（ビット側）に付勢されているハンマ１１のハンマ爪１１ａが回転によりアンビル１２のアンビル爪１２ａを打撃することにより発生する。打撃後、ハンマ１１の打撃エネルギが減少しアンビル１２のトルクが減少すると、ハンマ１１はアンビル１２から反発するため、ハンマ１１はカム溝に沿って遊星歯車４ｃ方向に移動（後退）する。その後、ハンマ１１はスプリング１３の圧縮力で再びアンビル１２方向にカム溝に沿って押し戻され、再びスピンドル９の回転によりハンマ爪１１ａがアンビル爪１２ａを打撃する。このようにハンマ１１の軸方向移動と回転によりアンビル１２への打撃を繰り返すことで、連続的な衝撃トルクをビットやレンチ等の先端工具に与え、被削材１４へのネジ締め或いはナット締め、または被削材１４へのネジ緩め或いはナット緩め作業を行うことができる。
【００２５】
また、上述した打撃機構部７及び減速機構部４を有する電動工具のハウジング１表面、具体的にはハウジング１の本体胴体部１ａ後面やハンドル部１ｂには、二層成形によりエラストマー１５を施してある。このエラストマー１５を設ける目的は、電動工具を確実に把持するための滑り止め、或いは握り心地を良くし操作性及び作業性を向上させるためであり、更には地面に落とした時の衝撃を吸収し電動工具が破損してしまうことを防いだり、傾斜面に電動工具を置いた時に傾斜に沿って電動工具が滑り落ちないようにするためである。なお、電動工具の破損や電動工具の滑り止め効果を向上させるためにエラストマー１５を蓄電池収容部１ｃの周辺に施しても良い。
【００２６】
また、本電動工具には、図１〜図４に示すように作業者の腰ベルト等に電動工具本体を掛止させるため、以下に詳述する係止部材１６と保持部１７とストラップ部１８とから構成される回動可能なフック部１９が設けられている。
【００２７】
フック部１９は、ビット等の先端工具２０を収容可能な樹脂から成る略円筒形の基端部１６ａを有する係止部材１６と、この係止部材１６の基端部１６ａを収容可能な貫通穴１７ａを有し且つハンドル部１ｂから蓄電池６の側面に隣接する位置まで延在する保持部１７と、この保持部１７内に挿通され且つ基端部１６ａ内に設けた抜け止め部材であるナット１６ｂに螺合して保持部１７から係止部材１６が抜け出てしまうことを防ぐ固定部材であるボルト２１と、係止部材１６を回動不能位置にロックする方向に付勢して成るスプリング或いは弾性ゴム等の弾性体２２とから構成されており、略Ｌ字形を成す係止部材１６の基端部１６ａには、枢軸２３を回転軸とする円筒状の回転筒１６ｃと、この回転筒１６ｃ上に設けられ且つ枢軸２３方向に突設し且つ枢軸２３の半径方向外側に突出する複数の歯を有する角度調整用ギヤ部１６ｄと、この角度調整用ギヤ部１６ｄの内径と略同径に突設する第１リング部１６ｅと、この第１リング部１６ｅの外径と同等或いはそれより小径の第２リング部１６ｆとが設けられている。また、基端部１６ａの内部には、第２リング部１６ｆ側から挿通されるボルト２１と螺合するナット１６ｂを回転不能に収容する半六面壁形状のナット収容部１６ｇが設けられていると共に、このナット収納部１６ｇから第２リング部１６ｆまでボルト２１を収容するための貫通穴（ボルト穴）１７ａが枢軸２３方向に設けられている。また、反角度調整用ギヤ部１６ｄ側位置する回転筒１６ｃの端面、即ち滑止部１６ｈを有する係止部材１６における回転筒１６ｃの立ち上がり突設部には、回転筒１６ｃの外径より大きい外径を形成するための段差部１６ｉを設けていると共に、回転筒２ｃの外周には係止部材１６の回動範囲を所定の角度内に規制するための回転抑止板１６ｊを突設している。
【００２８】
一方、保持部１７は、ハウジング１の分割面を中心に対称型で且つその内部に基端部１６ａを収容するための貫通穴（円筒穴）１７ａを有しており、この貫通穴１７ａは回転筒１６ｃを収容する回転支持穴１７ｂと、角度調整用ギヤ部１６ｄと噛合可能な複数の歯を有するリングギヤ部１７ｃと、このリングギヤ部１７ｃと溝付き頭部（ボルト頭）２１ａを有するボルト２１との間に設けられるフック用スプリング２２と当該ボルト頭２１ａを収容する受容穴１７ｄとから構成されており、回転支持穴１７ｂには、回転抑止板１６ｊの回動範囲を所定の角度内に規制するため回転抑止板１６ｊと当接する回転抑止板受容溝１７ｅが設けられている。
【００２９】
また、ストラップ部１８は、保持部１７の下方に設けられており、円筒穴１７ａに挿通する基端部１６ａの軸長に対して平行に設けられるストラップ用ネジ１８ａと、このストラップ用ネジ１８ａを挿通するための挿通穴１８ｂと、この挿通穴１８ｂからストラップ用ネジ１８ａが抜け出ないようにストラップ用ネジ１８ａと螺合するストラップ用ナット１８ｃとから構成されており、ストラップ部１８の一部にストラップ用ネジ１８ａが露出する切欠き部１８ｄを設け、この切欠き部１８ｄにストラップ１８ｅの一端に設けた輪状部１８ｆを挿通し、その後、輪状部１８ｆ内にストラップ用ネジ１８ａを挿通しストラップ用ナット１８ｃと螺合することにより、ストラップ１８ｅをストラップ用ネジ１８ａの軸部に引っ掛けることができるようになっている。なお、上述したようにストラップ部１８が、保持部１７の下方に設けられているため、保持部１７に着脱自在に設けられている係止部材１６が蓄電池６の一部を収容する被覆部（スカート部）１ｃ付近に隣接配置されるため、ハンドル部１ｂに対して着脱操作を行う蓄電池の操作部（ラッチ）６ａを操作する際に係止部材１６が邪魔にならないため、使用者は容易に蓄電池６の着脱作業を行うことができる。
【００３０】
次にハウジング１の保持部１７に対する係止部材１６の着脱方法について説明する。まずナット収容部１６ｇにナット１６ｂを挿入した状態で、保持部１７の円筒穴１７ａに挿通し、第２リング部１６ｆに沿って受容穴１７ｄにフック用スプリング２２を挿通させ、ボルト２１の先端に設けたネジ部２１ｂとナット１６ｂの内部に設けたネジ部１６ｋとを螺合させることにより、係止部材１６をフック用スプリング２２を介して保持部１７に装着することができる。また、ハウジング１の保持部１７に対して係止部材１６を離脱させる場合には、上述した手順の逆を行えば簡単に行える構成になっている。なお、保持部１７は上述したようにハウジング１の分割面を中心に対称型になっていると共に、ビット等の先端工具２０を収容可能な係止部材１６の形状が略直線的形状であるため、例えば作業者の利き手に応じて係止部材１６を保持部１７の左右どちらからでも挿入装着可能であり、更にどちらに装着しても係止部材１６が蓄電池６の一部を収容する被覆部付近１ｃに隣接配置可能なため、ハンドル部１ｂに対して着脱操作を行う蓄電池６の操作部６ａを操作する際に係止部材１６が邪魔にならない位置に配されるため、使用者は容易に蓄電池６の着脱作業を行うことができ作業性及び操作性の向上が図れる。
【００３１】
因みに本実施例では、上述したように保持部１７の左右どちらに係止部材１６を装着しても問題のない形状になっているが、蓄電池６の操作部６ａを操作する際に係止部材１６が邪魔にならないように係止部材１６の形状を略直線的形状のものから屈曲形状として良い。但し、この場合、例えば保持部１７の左側から係止部材１６を挿通した時と保持部１７の右側から係止部材１６を挿通した時とでどちらか一方から挿通した時に係止部材１６の上下が逆になるため、蓄電池６の操作部６ａ上に係止部材１６が位置してしまう場合が生じてしまう。よって、必要に応じて係止部材１６を交換する場合には、左側専用係止部材或いは右側専用係止部材のように専用の係止部材を個別に容易する必要があり、使い勝手が悪くなってしまうと共に、使用者に経済的負担をかけてしまうものになってしまう。
【００３２】
次に係止部材１６の回動操作について図２〜図４を用いて説明する。図２及び図３は係止部材１６が蓄電池６の一部を収容する被覆部（スカート部）１ｃ付近に隣接配置される位置で位置決め固定されている状態を示しており、係止部材１６は、フック用スプリング２２の圧力が保持部内のスプリング受端面１６ｌを支点にボルト頭２１ａを押し出す方向に付勢されていると共に、段差部１６ｉが保持部１７の端面１７ｆに当接して支持されているため離脱防止が図られており、更に角度調整用ギヤ部１６ｄがリングギヤ部１７ｃと噛合状態に保持されているため、基端部１６ａの枢軸２３の周方向の回転が防止され安定した位置決め固定が得られる構成になっている。なお、本実施例において、蓄電池６の一部を収容する被覆部１ｃ付近に隣接配置される位置は、回転抑止板１６ｊの端面が回転抑止板受容溝１７ｅの端面に当接する位置の一つとなっているため、この位置まで係止部材１６を回動させることができる構成になっている。
【００３３】
この状態から係止部材１６を回動操作する場合には、図２及び図４に示すように、係止部材１６の滑止部１６ｈを指でつまみ枢軸２３方向（図中上方）に引っ張れば基端部１６ａの角度調整用ギヤ部１６ｄとリングギヤ部１７ｃとの噛合が解除されるため、所定の角度内で係止部材１６を回動させることができ、任意の位置で係止部材１６を離せばフック用スプリング２４の弾性力により角度調整用ギヤ部１６ｄとリングギヤ部１７ｃとが噛合し位置決め固定することができる構成になっている。
【００３４】
よって、本実施例における係止部材１６は、簡単な構成及び方法により任意の位置に位置決め固定することができるという効果を奏するものであり、更に例示したインパクトドライバ及びインパクトレンチに限らず、丸のこ、ドリル、ディスクグラインダ、ドライバ、ハンマ、ハンマドリル、ジグソー、カッター、セーバソー、エアツール、釘打ち機等の携帯用工具に幅広く適用でき汎用性に富んだものである。
【００３５】
次に図５〜図１０を用いて電動工具の打撃機構部７を収容するハンマケース２の外周に着脱自在な樹脂製のカバー２５について説明する。図５はカバー２５の外観斜視図を示しており、図８に示すようにアルミ製のハンマケース２の外周に装着されて使用される。ハンマケース２は、ハウジング１に複数の締付けネジ２６（図１９）を用いて一体的に締付け固定されるが、この締付けネジ２６の頭部２６ａは電動工具の外観に露出している。このように露出していると図１５に示す作業を行う場合に締付けネジ２６が被削材１４に接触してしまい、被削材１４に傷を付けてしまうという問題が生じる。
【００３６】
そこで、本実施例では図１に示すようにカバー２５を設け、締付けネジ２６の頭部２６ａをカバー２５で覆い、露出させないように構成している。このカバー２５は、締付けネジ２６の材質（金属）よりも硬度の低い、即ち柔らかい弾性材質（樹脂或いはゴム）から形成する。また、上記カバー２５は、図６及び図７に示す弾性を有する固定手段であるストッパ（樹脂或いは弾性ゴム）２７により、電動工具の使用時に生じる衝撃振動により先端工具側に向いハンマケース２からカバー２５が離脱してしまわないように確実に位置決めされている。カバー２５とストッパ２７による装着状態は図８に示すように、ハンマケース２の外周を覆うようにカバー２５を挿通した後、ハンマケース２に設けた嵌合凸部２ａに図６及び図７に示すストッパの内部に設けた嵌合凹部２７ａを係合させることで確実に行われる。このような構成により、図９及び図１０に示すように被削材１４には、カバー２５が接触するため、上述した問題を解消することができる。なお、上記嵌合凸部２ａと上記嵌合凹部２７ａとを逆に設けても良い。
【００３７】
また、締付けネジ２６を収容するためにカバー２５の長手方向に設けた複数に突出部２５ａの先端側に傾斜（テーパー）２５ｂを設けることで、万一、この突出部２５ａに何かの部材が接触したとしても傾斜２５ｂに沿って衝撃を緩和する、即ち傾斜２５ａに沿って上記部材を逃がすことができるの、使用者の使い勝手が向上すると共に、カバー２５の傷損等を極力抑制することができる構成になっている。更に作業によって使用者は、ハンマケース２の外周を把持しながら作業する場合があるが、ハンマ爪１１ａがアンビル爪１２ａを打撃する際に発生する熱によりハンマケース２が熱くなってしまうと、ハンマケース２を把持し難くなってしまい作業性及び操作性の低下を招いてしまうが、本実施例ではハンマケース２の外周にカバー２５を設けているため、熱による影響を低減することができ、使い勝手に優れた電動工具を提供することができる。
【００３８】
また、アルミ製のハンマケース２を把持する場合と本実施例のカバー２５を把持する場合と比較して見ると、ハンマケース２を把持した場合の方が摩擦力の面から見ても滑り易く、特に使用者の手が汗や水等により濡れていると滑り易くなってしまうため、安定した作業が行えないという不具合が起きるが、カバー２５を把持した場合にはアルミ製のハンマケース２を把持する場合よりも滑り難いことから、安定した作業が行える。
【００３９】
また、カバー２５を有さないハンマケース２が露出している電動工具の場合には、ハンマケース２の見ばえを良くするために塗装を行っていたが、本実施例ではハンマケース２の外周にカバー２５を設けることによりハンマケース２が露出しないため、ハンマケース２の見ばえを考慮する必要性がないため、塗装に要するコストと手間をなくすことができ安価な電動工具を提供することができる。
【００４０】
なお、上述したカバー２５の変形例として、図１１及び図１２に示すカバー２５´，２５“のような形状にしても良く、カバー２５´はカバー２５の後方部（反先端工具側）を途中でカットした形状で締付けネジの外周を覆っており、また、カバー２５“はカバー２５の前方部（先端工具側）をカットした形状で上記同様に締付けネジの外周を覆う形状になっている。このようにカバー２５の形状は、締付けネジ２６の頭部２６ａ外周を覆うことのできる形状であれば良く本実施例の形状に限られるものではない。
【図面の簡単な説明】
【００４１】
【図１】本発明になる電動工具を示す側面図である。
【図２】本発明になる電動工具を示す一部縦断側面図である。
【図３】本発明になる電動工具を蓄電池側から見た場合におけるフックのロック状態を示す断面図である。
【図４】本発明になる電動工具を蓄電池側から見た場合におけるフックのロック解除状態を示す断面図である。
【図５】本発明になる電動工具のハンマケース周辺に設けられるカバーを示す外観斜視図である。
【図６】本発明になる電動工具に設けたカバーを位置決め固定するキャップを示す外観斜視図である。
【図７】図６に示すキャップの内側を示す外観斜視図である。
【図８】本発明になる電動工具にカバーを設け且つ当該カバーをキャップにより位置決め固定した状態を示す要部拡大縦断側面図である。
【図９】本発明になる電動工具の使用状態を示す説明図である。
【図１０】本発明になる電動工具の他の使用状態を示す説明図である。
【図１１】本発明になる他のカバーを電動工具に装着した状態を示す正面図（ａ）及び平面図（ｂ）である。
【図１２】本発明になる更に他のカバーを電動工具に装着した状態を示す正面図（ａ）及び平面図（ｂ）である。
【図１３】従来における電動工具を示す側面図である。
【図１４】従来における電動工具を示す一部縦断側面図である。
【図１５】従来における電動工具のフック部を示す図１２の右側から見た一部省略側面図である。
【図１６】従来における電動工具を図１２の蓄電池側から見た一部断面図である。
【図１７】従来における電動工具を蓄電池側から見た場合におけるフックのロック状態を示す断面図である。
【図１８】従来における電動工具を蓄電池側から見た場合におけるフックのロック解除状態を示す断面図である。
【図１９】従来における電動工具の他の使用状態を示す説明図である。
【符号の説明】
【００４２】
１は二つ割ハウジング、１ａは本体胴体部、１ｂはハンドル部、１ｃは蓄電池収容部、２はハンマケース、２ａは嵌合凸部、３はモータ、３ａはピニオン、４は減速機構部、４ａは固定歯車支持治具、４ｂは固定歯車、４ｃは遊星歯車、４ｄはニードルピン、５はトリガスイッチ、６は蓄電池、６ａは操作部、７は打撃機構部、８は先端工具保持部、９はスピンドル、９ａはカム溝、１０はスチールボール、１１はハンマ、１１ａはハンマ爪、１１ｂはカム溝、１２はアンビル、１２ａはアンビル爪、１３はスプリング、１４は被削材、１５はエラストマー、１６は係止部材、１６ａは基端部、１６ｂはナット、１６ｃは回転筒、１６ｄは角度調整用ギヤ部、１６ｅは第１リング部、１６ｆは第２リング部、１６ｇはナット収容部、１６ｈは滑止部、１６ｉは段差部、１６ｊは回転抑止板、１６ｋはネジ部、１６ｌはスプリング受容部、１７は保持部、１７ａは貫通穴、１７ｂは回転支持穴、１７ｃはリングギヤ部、１７ｄは受容穴、１７ｅは回転抑止板受容溝、１７ｆは端面、１８はストラップ部、１８ａはストラップ用ネジ、１８ｂは挿通穴、１８ｃはストラップ用ナット、１８ｄは切欠き部、１８ｅはストラップ、１８ｆは輪状部、１９はフック部、２０は先端工具、２１はボルト、２１ａは溝付き頭部、２１ｂはネジ部、２２は弾性体、２３は枢軸、２４はフック用スプリング、２５はカバー、２５ａは突出部、２５ｂは斜面、２６は締付けネジ、２５´はカバー、２５“はカバー、２６ａは締付けネジ頭部、２７はストッパ、２７ａは嵌合凹部である。
【図１】
2008178979.tif 000003
【図２】
2008178979.tif 000004
【図３】
2008178979.tif 000005
【図４】
2008178979.tif 000006
【図５】
2008178979.tif 000007
【図６】
2008178979.tif 000008
【図７】
2008178979.tif 000009
【図８】
2008178979.tif 000010
【図９】
2008178979.tif 000011
【図１０】
2008178979.tif 000012
【図１１】
2008178979.tif 000013
【図１２】
2008178979.tif 000014
【図１３】
2008178979.tif 000015
【図１４】
2008178979.tif 000016
【図１５】
2008178979.tif 000017
【図１６】
2008178979.tif 000018
【図１７】
2008178979.tif 000019
【図１８】
2008178979.tif 000020
【図１９】
2008178979.tif 000021